(57)【特許請求の範囲】
【請求項１】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成し、
前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、
前記給湯接続ユニットから送出される温水を前記給湯器が加熱することによって給湯設定温度の温水を生成している状態で、前記蓄熱槽から前記給湯接続ユニットに送出される温水または前記給湯接続ユニットから送出される温水が給湯設定温度を下回る温度状態から給湯設定温度以上の温度状態に移行した時点から、前記給湯接続ユニットと前記給湯器とを接続する温水配管の配管長に応じて予め設定された所定時間が経過した時点で、前記給湯器の加熱を停止させるようにしたことを特徴とする給湯システム。
【請求項２】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
給湯設定温度の前後に設定された基準温度以上の温水が前記蓄熱槽から前記給湯接続ユニットに送出される場合は、前記給湯接続ユニットから送出される温水を前記給湯器が加熱することなく給湯を行い、
前記蓄熱槽から基準温度を下回る温水が前記給湯接続ユニットに送出される場合は、前記給湯接続ユニットから送出される温水を給湯器が加熱することによって給湯を行うようにした給湯システムであって、
前記給湯接続ユニットから送出される温水を前記給湯器が加熱することによって給湯を行っている状態で、前記蓄熱槽から前記給湯接続ユニットに送出される温水または前記給湯接続ユニットから送出される温水が基準温度を下回る温度状態から基準温度以上の温度状態に移行した時点から、前記給湯接続ユニットと前記給湯器とを接続する温水配管の配管長に応じて予め設定された所定時間が経過した時点で、前記給湯器の加熱を停止させるようにしたことを特徴とする給湯システム。
【請求項３】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成し、
前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、
前記給湯接続ユニットが給湯設定温度の温水を送出している状態で、前記蓄熱槽から前記給湯接続ユニットに送出される温水または前記給湯接続ユニットから送出される温水が、給湯設定温度以上の温度状態から給湯設定温度を下回る温度状態に移行した時点から、前記給湯接続ユニットと前記給湯器とを接続する温水配管の配管長に応じて予め設定された所定時間が経過した時点で、前記給湯器の加熱を開始させるようにしたことを特徴とする給湯システム。
【請求項４】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
給湯設定温度の前後に設定された基準温度以上の温水が前記蓄熱槽から前記給湯接続ユニットに送出される場合は、前記給湯接続ユニットから送出される温水を前記給湯器が加熱することなく給湯を行い、
前記蓄熱槽から基準温度を下回る温水が前記給湯接続ユニットに送出される場合は、前記給湯接続ユニットから送出される温水を給湯器が加熱することによって給湯を行うようにした給湯システムであって、
前記給湯接続ユニットから送出される温水を前記給湯器が加熱することなく給湯を行っている状態で、前記蓄熱槽から前記給湯接続ユニットに送出される温水または前記給湯接続ユニットから送出される温水が、基準温度以上の温度状態から基準温度を下回る温度状態に移行した時点から、前記給湯接続ユニットと前記給湯器とを接続する温水配管の配管長に応じて予め設定された所定時間が経過した時点で、前記給湯器の加熱を開始させるようにしたことを特徴とする給湯システム。
【請求項５】
前記温水配管の配管長に応じて予め設定された複数の所定時間から適切な所定時間を選択するための時間選択手段または前記所定時間を入力するための時間入力手段を備えている請求項１、２、３または４に記載の給湯システム。
【請求項６】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成し、
前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、
前記給湯接続ユニットから送出される温水を前記給湯器が加熱することによって給湯設定温度の温水を生成している状態で、前記蓄熱槽から前記給湯接続ユニットに送出される温水または前記給湯接続ユニットから送出される温水が給湯設定温度を下回る温度状態から給湯設定温度以上の温度状態に移行した時点から、温水送出量の計測を開始し、計測している温水送出量が、予め測定しておいた前記給湯接続ユニットと前記給湯器とを接続する温水配管の配管容積に相当する温水量に到達した時点で、前記給湯器の加熱を停止させるようにしたことを特徴とする給湯システム。
【請求項７】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
給湯設定温度の前後に設定された基準温度以上の温水が前記蓄熱槽から前記給湯接続ユニットに送出される場合は、前記給湯接続ユニットから送出される温水を前記給湯器が加熱することなく給湯を行い、
前記蓄熱槽から基準温度を下回る温水が前記給湯接続ユニットに送出される場合は、前記給湯接続ユニットから送出される温水を給湯器が加熱することによって給湯を行うようにした給湯システムであって、
前記給湯接続ユニットから送出される温水を前記給湯器が加熱することによって給湯を行っている状態で、前記蓄熱槽から前記給湯接続ユニットに送出される温水または前記給湯接続ユニットから送出される温水が基準温度を下回る温度状態から基準温度以上の温度状態に移行した時点から、温水送出量の計測を開始し、計測している温水送出量が、予め測定しておいた前記給湯接続ユニットと前記給湯器とを接続する温水配管の配管容積に相当する温水量に到達した時点で、前記給湯器の加熱を停止させるようにしたことを特徴とする給湯システム。
【請求項８】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
前記蓄熱槽から給湯設定温度以上の温水が前記給湯接続ユニットに送出される場合は、前記給湯接続ユニットが上水を混合することによって給湯設定温度の温水を生成し、
前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、
前記給湯接続ユニットが給湯設定温度の温水を送出している状態で、前記蓄熱槽から前記給湯接続ユニットに送出される温水または前記給湯接続ユニットから送出される温水が、給湯設定温度以上の温度状態から給湯設定温度を下回る温度状態に移行した時点から、温水送出量の計測を開始し、計測している温水送出量が、予め測定しておいた前記給湯接続ユニットと前記給湯器とを接続する温水配管の配管容積に相当する温水量に到達した時点で、前記給湯器の加熱を開始させるようにしたことを特徴とする給湯システム。
【請求項９】
主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、
給湯設定温度の前後に設定された基準温度以上の温水が前記蓄熱槽から前記給湯接続ユニットに送出される場合は、前記給湯接続ユニットから送出される温水を前記給湯器が加熱することなく給湯を行い、
前記蓄熱槽から基準温度を下回る温水が前記給湯接続ユニットに送出される場合は、前記給湯接続ユニットから送出される温水を給湯器が加熱することによって給湯を行うようにした給湯システムであって、
前記給湯接続ユニットから送出される温水を前記給湯器が加熱することなく給湯を行っている状態で、前記蓄熱槽から前記給湯接続ユニットに送出される温水または前記給湯接続ユニットから送出される温水が、基準温度以上の温度状態から基準温度を下回る温度状態に移行した時点から、温水送出量の計測を開始し、計測している温水送出量が、予め測定しておいた前記給湯接続ユニットと前記給湯器とを接続する温水配管の配管容積に相当する温水量に到達した時点で、前記給湯器の加熱を開始させるようにしたことを特徴とする給湯システム。
【請求項１０】
前記蓄熱槽から前記給湯接続ユニットに送出された、途中に温度勾配を有する温水の温度変化を、前記給湯接続ユニットの温水入口側または温水出口側で検出した後、その温度変化を前記給湯器の温水入口側で再度検出するまでの間に送出された温水量を計測し、その温水量を前記温水配管の配管容積とした請求項６、７、８または９に記載の給湯システム。
【請求項１１】
前記給湯接続ユニットから送出される温水を前記給湯器が加熱することによって給湯設定温度の温水を生成している状態で、前記蓄熱槽から前記給湯接続ユニットに送出される温水または前記給湯接続ユニットから送出される温水が給湯設定温度を下回る温度状態から給湯設定温度以上の温度状態に移行した時点から、その温度状態の温水が前記給湯器に到達する時点までの間に送出された温水量を計測し、その温水量を前記温水配管の配管容積とした請求項６、７、８または９に記載の給湯システム。
【請求項１２】
前記給湯接続ユニットが給湯設定温度の温水を送出している状態で、前記蓄熱槽から前記給湯接続ユニットに送出される温水または前記給湯接続ユニットから送出される温水が、給湯設定温度以上の温度状態から給湯設定温度を下回る温度状態に移行した時点から、その温度状態の温水が前記給湯器に到達する時点までの間に送出された温水量を計測し、その温水量を前記温水配管の配管容積とした請求項６、７、８または９に記載の給湯システム。
【請求項１３】
前記温水量の計測を複数回行い、計測された複数の前記温水量の平均値を前記温水配管の配管容積とした請求項１０、１１または１２に記載の給湯システム。
【発明の詳細な説明】
【０００１】
【発明の属する技術分野】
この発明は、太陽熱等の補助熱源によって生成された温水を蓄熱槽に貯留しておき、この温水を、上水と混合可能な給湯接続ユニットを介して、給湯器に送出するようにした給湯システムに関する。
【０００２】
【従来の技術】
補助熱源を利用した給湯システムとしては、例えば、太陽熱を利用して温水を生成する太陽熱利用温水器と給湯器とを組み合わせた給湯システムが従来から一般的に知られている。
【０００３】
こういった、給湯システムでは、太陽熱を利用して生成された温水を貯留する蓄熱槽を備えている太陽熱利用温水器と給湯器とが、給湯接続ユニットを介して接続されており、給湯時には、太陽熱利用温水器の蓄熱槽に貯留された温水が給湯接続ユニットを介して給湯器に送出されるが、給湯接続ユニットは、蓄熱槽に貯留された温水を単に給湯器に送出するだけではなく、必要に応じて、蓄熱槽から送出される温水に上水を混合した状態で、給湯器に送出することができるように構成されている。
【０００４】
従って、給湯器に対して設定された給湯設定温度以上の温水が蓄熱槽に貯留されている場合は、給湯接続ユニットが、蓄熱槽から送出される給湯設定温度以上の温水と上水とを適宜混合することによって給湯設定温度の温水を生成し、これを給湯器に送出する。この場合、給湯器のバーナーを燃焼させることなく、給湯設定温度の温水を供給することができる。一方、給湯設定温度以上の温水が蓄熱槽に貯留されていない場合は、給湯接続ユニットが、蓄熱槽から送出される給湯設定温度より低い温水をそのままの状態または上水と適宜混合することによって所定温度まで下げた状態で給湯器に送出する。この場合、給湯器のバーナーを燃焼させることによって給湯設定温度の温水を生成することになる。
【０００５】
また、この給湯システムでは、給湯器のバーナーを燃焼させることによって給湯設定温度の温水を供給している状態で、給湯設定温度以上の温水が蓄熱槽から給湯接続ユニットに送出されると、その時点で、給湯接続ユニットが給湯器に燃焼停止指令を出力し、給湯器のバーナーの燃焼を即座に停止させるようになっており、逆に、給湯器のバーナーを燃焼させることなく給湯設定温度の温水を供給している状態で、給湯設定温度より低い温水が蓄熱槽から給湯接続ユニットに送出されると、その時点で、給湯接続ユニットが給湯器に燃焼開始指令を出力し、給湯器のバーナーが即座に燃焼を開始するようになっている。
【０００６】
【発明が解決しようとする課題】
しかしながら、上述したように、給湯器のバーナーを燃焼させることによって給湯設定温度の温水を供給している状態において、給湯設定温度以上の温水が蓄熱槽から給湯接続ユニットに送出された時点で、給湯器のバーナーが即座に燃焼を停止すると、給湯接続ユニットと給湯器とを接続している温水配管内の温度の低い温水がそのま送出され、給湯設定温度より低い温水が一時的に供給されることになる。
【０００７】
また、逆に、給湯器のバーナーを燃焼させることなく給湯設定温度の温水を供給している状態において、給湯設定温度より低い温水が蓄熱槽から給湯接続ユニットに送出された時点で、給湯器のバーナーが即座に燃焼を開始すると、給湯接続ユニットと給湯器とを接続している温水配管内の給湯設定温度の温水が、給湯器でさらに加熱され、給湯設定温度以上の温水が一時的に供給されることになる。
【０００８】
ところで、給湯接続ユニットは、通常、給湯器の近くに設置されるので、両者を接続する温水配管の配管長が短く、給湯器のバーナーを燃焼させることなく給湯を行う運転モードと、給湯器のバーナーを燃焼させながら給湯を行う運転モードとを、上述したように、直ちに切り替えても、給湯設定温度から外れた温水の供給量も少なく、特に問題となることはないが、給湯接続ユニットと給湯器とが離れた場所にそれぞれ設置されている場合は、両者を接続する温水配管の配管長が長くなるので、給湯設定温度から外れた温水の供給量が多くなり、給湯システムを使用しているユーザに対して、快適な給湯を行うことができなくなるといった問題がある。
【０００９】
そこで、この発明の課題は、温水接続ユニットや給湯器の設置場所に影響を受けることなく、給湯設定温度の温水を確実に供給することができる給湯システムを提供することにある。
【００１０】
【課題を解決するための手段及びその効果】
上記の課題を解決するため、請求項１に係る発明は、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、前記蓄熱槽から給湯設定温度以上の温水が前記給湯接続ユニットに送出される場合は、前記給湯接続ユニットが上水を混合することによって給湯設定温度の温水を生成し、前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、前記給湯接続ユニットから送出される温水を前記給湯器が加熱することによって給湯設定温度の温水を生成している状態で、前記蓄熱槽から前記給湯接続ユニットに送出される温水または前記給湯接続ユニットから送出される温水が給湯設定温度を下回る温度状態から給湯設定温度以上の温度状態に移行した時点から、前記給湯接続ユニットと前記給湯器とを接続する温水配管の配管長に応じて予め設定された所定時間が経過した時点で、前記給湯器の加熱を停止させるようにしたのである。
【００１１】
以上のように、この給湯システムでは、給湯器が加熱しながら給湯設定温度の温水を供給している運転状態から、給湯器が加熱することなく給湯設定温度の温水を供給する運転状態に切り替える際、給湯接続ユニットと給湯器とを接続する温水配管の配管長に応じて予め設定された所定時間分だけ遅らせて給湯器の加熱を停止させるようにしたので、給湯接続ユニットと給湯器とを接続している温水配管内の温度の低い温水が給湯器に送出される間は給湯器の加熱が略継続され、運転状態の切り換え段階においても継続して給湯設定温度の温水を供給することができる。
【００１２】
また、上記の課題を解決するため、請求項３に係る発明は、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、前記蓄熱槽から給湯設定温度以上の温水が前記給湯接続ユニットに送出される場合は、前記給湯接続ユニットが上水を混合することによって給湯設定温度の温水を生成し、前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、前記給湯接続ユニットが給湯設定温度の温水を送出している状態で、前記蓄熱槽から前記給湯接続ユニットに送出される温水または前記給湯接続ユニットから送出される温水が、給湯設定温度以上の温度状態から給湯設定温度を下回る温度状態に移行した時点から、前記給湯接続ユニットと前記給湯器とを接続する温水配管の配管長に応じて予め設定された所定時間が経過した時点で、前記給湯器の加熱を開始させるようにしたのである。
【００１３】
以上のように、この給湯システムでは、給湯器が加熱することなく給湯設定温度の温水を供給している運転状態から、給湯器が加熱しながら給湯設定温度の温水を供給する運転状態に切り替える際、給湯接続ユニットと給湯器とを接続する温水配管の配管長に応じて予め設定された所定時間分だけ遅らせて給湯器の加熱を開始させるようにしたので、給湯接続ユニットと給湯器とを接続している温水配管内の給湯設定温度の温水が給湯器によって加熱されて給湯設定温度以上に上昇することがなく、運転状態の切り換え段階においても継続して給湯設定温度の温水を供給することができる。
【００１４】
また、請求項２に係る発明の給湯システムのように、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、給湯設定温度の前後に設定された基準温度以上の温水が前記蓄熱槽から前記給湯接続ユニットに送出される場合は、前記給湯接続ユニットから送出される温水を前記給湯器が加熱することなく給湯を行い、前記蓄熱槽から基準温度を下回る温水が前記給湯接続ユニットに送出される場合は、前記給湯接続ユニットから送出される温水を給湯器が加熱することによって給湯を行うようにした給湯システムであって、前記給湯接続ユニットから送出される温水を前記給湯器が加熱することによって給湯を行っている状態で、前記蓄熱槽から前記給湯接続ユニットに送出される温水または前記給湯接続ユニットから送出される温水が基準温度を下回る温度状態から基準温度以上の温度状態に移行した時点から、前記給湯接続ユニットと前記給湯器とを接続する温水配管の配管長に応じて予め設定された所定時間が経過した時点で、前記給湯器の加熱を停止させるようにしたり、請求項４に係る発明の給湯システムのように、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、給湯設定温度の前後に設定された基準温度以上の温水が前記蓄熱槽から前記給湯接続ユニットに送出される場合は、前記給湯接続ユニットから送出される温水を前記給湯器が加熱することなく給湯を行い、前記蓄熱槽から基準温度を下回る温水が前記給湯接続ユニットに送出される場合は、前記給湯接続ユニットから送出される温水を給湯器が加熱することによって給湯を行うようにした給湯システムであって、前記給湯接続ユニットから送出される温水を前記給湯器が加熱することなく給湯を行っている状態で、前記蓄熱槽から前記給湯接続ユニットに送出される温水または前記給湯接続ユニットから送出される温水が、基準温度以上の温度状態から基準温度を下回る温度状態に移行した時点から、前記給湯接続ユニットと前記給湯器とを接続する温水配管の配管長に応じて予め設定された所定時間が経過した時点で、前記給湯器の加熱を開始させるようにすることも可能である。
【００１５】
このように、給湯設定温度の前後に設定された基準温度に基づいて制御の切り替えを行うと、給湯設定温度を下回る温水が供給される場合があるが、基準温度を給湯設定温度付近に設定しておくことによって、極端に使い勝手が悪くなることはなく、特に、給湯設定温度より低い温度に基準温度を設定した場合は、蓄熱槽から給湯接続ユニットに送出される温水の温度または給湯接続ユニットから送出される温水の温度が、給湯設定温度まで上昇する前に給湯器の加熱が停止され、蓄熱槽から給湯接続ユニットに送出される温水の温度または給湯接続ユニットから送出される温水の温度が、給湯設定温度を下回った後に給湯器の加熱が開始されることになるので、蓄熱槽に貯留された温水を最大限に利用して給湯を行うことができる。
【００１６】
また、請求項５に係る発明の給湯システムのように、前記温水配管の配管長に応じて予め設定された複数の所定時間から適切な所定時間を選択するための時間選択手段または前記所定時間を入力するための時間入力手段を設けておくと、給湯システム１の設置時点において、バーナーの燃焼の開始または停止タイミングを遅らせるための所定時間を簡単に設定することができる。
【００１７】
特に、請求項６に係る発明の給湯システムのように、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、前記蓄熱槽から給湯設定温度以上の温水が前記給湯接続ユニットに送出される場合は、前記給湯接続ユニットが上水を混合することによって給湯設定温度の温水を生成し、前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、前記給湯接続ユニットから送出される温水を前記給湯器が加熱することによって給湯設定温度の温水を生成している状態で、前記蓄熱槽から前記給湯接続ユニットに送出される温水または前記給湯接続ユニットから送出される温水が給湯設定温度を下回る温度状態から給湯設定温度以上の温度状態に移行した時点から、温水送出量の計測を開始し、計測している温水送出量が、予め測定しておいた前記給湯接続ユニットと前記給湯器とを接続する温水配管の配管容積に相当する温水量に到達した時点で、前記給湯器の加熱を停止させるようにしたり、請求項８に係る発明の給湯システムのように、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、前記蓄熱槽から給湯設定温度以上の温水が前記給湯接続ユニットに送出される場合は、前記給湯接続ユニットが上水を混合することによって給湯設定温度の温水を生成し、前記蓄熱槽から給湯設定温度を下回る温水が前記給湯接続ユニットに送出される場合は、前記給湯接続ユニットから送出される温水を給湯器が加熱することによって給湯設定温度の温水を生成するようにした給湯システムにおいて、前記給湯接続ユニットが給湯設定温度の温水を送出している状態で、前記蓄熱槽から前記給湯接続ユニットに送出される温水または前記給湯接続ユニットから送出される温水が、給湯設定温度以上の温度状態から給湯設定温度を下回る温度状態に移行した時点から、温水送出量の計測を開始し、計測している温水送出量が、予め測定しておいた前記給湯接続ユニットと前記給湯器とを接続する温水配管の配管容積に相当する温水量に到達した時点で、前記給湯器の加熱を開始させるようにしておくと、運転状態の切換段階において供給される温水をより確実に給湯設定温度に保持することができる。
【００１８】
また、請求項７に係る発明の給湯システムのように、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、給湯設定温度の前後に設定された基準温度以上の温水が前記蓄熱槽から前記給湯接続ユニットに送出される場合は、前記給湯接続ユニットから送出される温水を前記給湯器が加熱することなく給湯を行い、前記蓄熱槽から基準温度を下回る温水が前記給湯接続ユニットに送出される場合は、前記給湯接続ユニットから送出される温水を給湯器が加熱することによって給湯を行うようにした給湯システムであって、前記給湯接続ユニットから送出される温水を前記給湯器が加熱することによって給湯を行っている状態で、前記蓄熱槽から前記給湯接続ユニットに送出される温水または前記給湯接続ユニットから送出される温水が基準温度を下回る温度状態から基準温度以上の温度状態に移行した時点から、温水送出量の計測を開始し、計測している温水送出量が、予め測定しておいた前記給湯接続ユニットと前記給湯器とを接続する温水配管の配管容積に相当する温水量に到達した時点で、前記給湯器の加熱を停止させるようにしたり、請求項９に係る発明の給湯システムのように、主熱源としての給湯器と、補助熱源によって生成された温水を貯留する蓄熱槽と、前記蓄熱槽から送出された温水に、必要に応じて上水を混合して前記給湯器に送出する給湯接続ユニットとを備え、給湯設定温度の前後に設定された基準温度以上の温水が前記蓄熱槽から前記給湯接続ユニットに送出される場合は、前記給湯接続ユニットから送出される温水を前記給湯器が加熱することなく給湯を行い、前記蓄熱槽から基準温度を下回る温水が前記給湯接続ユニットに送出される場合は、前記給湯接続ユニットから送出される温水を給湯器が加熱することによって給湯を行うようにした給湯システムであって、前記給湯接続ユニットから送出される温水を前記給湯器が加熱することなく給湯を行っている状態で、前記蓄熱槽から前記給湯接続ユニットに送出される温水または前記給湯接続ユニットから送出される温水が、基準温度以上の温度状態から基準温度を下回る温度状態に移行した時点から、温水送出量の計測を開始し、計測している温水送出量が、予め測定しておいた前記給湯接続ユニットと前記給湯器とを接続する温水配管の配管容積に相当する温水量に到達した時点で、前記給湯器の加熱を開始させるようにすることも可能である。
【００１９】
このように、給湯設定温度の前後に設定された基準温度に基づいて制御の切り替えを行うと、給湯設定温度を下回る温水が供給される場合があるが、基準温度を給湯設定温度付近に設定しておくことによって、極端に使い勝手が悪くなることはなく、特に、給湯設定温度より低い温度に基準温度を設定した場合は、蓄熱槽から給湯接続ユニットに送出される温水の温度または給湯接続ユニットから送出される温水の温度が、給湯設定温度まで上昇する前に給湯器の加熱が停止され、蓄熱槽から給湯接続ユニットに送出される温水の温度または給湯接続ユニットから送出される温水の温度が、給湯設定温度を下回った後に給湯器の加熱が開始されることになるので、蓄熱槽に貯留された温水を最大限に利用して給湯を行うことができる。
【００２０】
上述したように、温水配管の配管容積に相当する温水量が送出された時点で、給湯器の加熱を停止または開始させる場合は、請求項１０に係る発明の給湯システムのように、前記蓄熱槽から前記給湯接続ユニットに送出された、途中に温度勾配を有する温水の温度変化を、前記給湯接続ユニットの温水入口側または温水出口側で検出した後、その温度変化を前記給湯器の温水入口側で再度検出するまでの間に送出された温水量を計測し、その温水量を前記温水配管の配管容積として使用すればよい。
【００２１】
特に、請求項１１に係る発明の給湯システムのように、前記給湯接続ユニットから送出される温水を前記給湯器が加熱することによって給湯設定温度の温水を生成している状態で、前記蓄熱槽から前記給湯接続ユニットに送出される温水または前記給湯接続ユニットから送出される温水が給湯設定温度を下回る温度状態から給湯設定温度以上の温度状態に移行した時点から、その温度状態の温水が前記給湯器に到達する時点までの間に送出された温水量を計測したり、請求項１２に係る発明の給湯システムのように、前記給湯接続ユニットが給湯設定温度の温水を送出している状態で、前記蓄熱槽から前記給湯接続ユニットに送出される温水または前記給湯接続ユニットから送出される温水が、給湯設定温度以上の温度状態から給湯設定温度を下回る温度状態に移行した時点から、その温度状態の温水が前記給湯器に到達する時点までの間に送出された温水量を計測することによって、配管容積を別途計測することなく、実際に給湯システムを運転しながら配管容積を求めることができる。
【００２２】
また、請求項１３に係る発明の給湯システムのように、前記温水量の計測を複数回行い、計測された複数の前記温水量の平均値を前記温水配管の配管容積として使用することが望ましい。
【００２３】
【発明の実施の形態】
以下、実施の形態について図面を参照して説明する。図１は、補助熱源として太陽熱を利用した給湯システム１の概略構成を示している。この給湯システム１は、同図に示すように、太陽熱利用温水器１０と給湯器３０とが給湯接続ユニット２０を介して接続されたものであり、太陽熱利用温水器１０によって生成された温水が給湯接続ユニット２０を介して給湯器３０に送出されるようになっている。
【００２４】
前記太陽熱利用温水器１０は、ソーラー熱交換器１１と密閉式の蓄熱槽１４とを備えており、蓄熱槽１４には、その下端部に上水を供給するための給水管１５が接続されていると共に、上端部には貯留された温水を給湯接続ユニット２０に送出するための温水供給管１６が接続されている。
【００２５】
前記ソーラー熱交換器１１には、その入口側と出口側とを接続するソーラー配管１２によって熱媒体の循環経路が形成されており、このソーラー配管１２は、部分的に蓄熱槽１４内に導入された熱交換部１３を有している。従って、ソーラー熱交換器１１によって加熱された熱媒体は、ソーラー配管１２を通って蓄熱槽１４内に導かれ、熱交換部１３で蓄熱槽１４内の水と熱交換を行うことで、蓄熱槽１４内に温水が生成されるようになっている。
【００２６】
前記給湯接続ユニット２０は、同図に示すように、給水管２２を介して供給される上水と、蓄熱槽１４から温水供給管１６を介して供給される温水とを、必要に応じて混合する混合調節弁２１を備えており、蓄熱槽１４から送出された温水は、そのまま又は上水と適宜混合された状態で混合調節弁２１に接続された温水配管２３を介して給湯器３０に送出され、給湯器３０の熱交換器３１を通って給湯されるようになっている。
【００２７】
また、給水管２２と温水配管２３とは、通電時に全閉となるダイヤフラム方式の電磁弁２５が設置されたバイパス管２４を介して相互に接続されており、混合調節弁２１に接続された温水供給管１６及び温水配管２３には、蓄熱槽１４から送出される温水の温度（以下、入湯温度という。）Ｔｓを検出するための入湯温度センサ２６及び給湯接続ユニット２０から送出される温水の温度（以下、出湯温度という。）Ｔｏを検出するための出湯温度センサ２７が設置されている。
【００２８】
前記給湯接続ユニット２０及び給湯器３０には、シリアルインターフェースを介して相互に通信可能なコントローラ２０ａ、３０ａがそれぞれ搭載されていると共に、給湯器３０の操作リモコン４０には、シリアルインターフェースを介して給湯器３０のコントローラ３０ａと相互に通信可能なコントローラ４０ａが搭載されており、これらのコントローラ２０ａ、３０ａ、４０ａが相互に連携をとりながら、給湯システム１の運転動作を統括的に制御している。
【００２９】
給湯接続ユニット２０のコントローラ２０ａには、入湯温度センサ２６及び出湯温度センサ２７からの温度検出信号が入力されると共に、操作リモコン４０によって設定された給湯設定温度Ｔｅ及び運転スイッチ信号、バーナー燃焼信号、給湯器３０の熱交換器３１を通過する温水流量が最低作動水量以上のときにＯＮする水流信号等が給湯器３０のコントローラ３０ａから送信されるようになっており、これらの温度検出信号及び給湯設定温度Ｔｅに基づいて、給湯接続ユニット２０のコントローラ２０ａが混合調節弁２１を制御するようになっている。
【００３０】
蓄熱槽１４から送出される温水の温度、即ち、入湯温度センサ２６によって検出された入湯温度Ｔｓが給湯設定温度Ｔｅ以上の場合は、給湯器３０のバーナーを燃焼させなくても、上水を適宜混合することによって給湯設定温度Ｔｅの温水を供給することができるので、給湯接続ユニット２０から送出される温水の温度、即ち、出湯温度センサ２７によって検出される出湯温度Ｔｏが給湯設定温度Ｔｅになるように、混合調節弁２１を制御する給湯設定温度制御を行うようになっている。
【００３１】
一方、入湯温度Ｔｓが給湯設定温度Ｔｅより低い場合は、給湯器３０のバーナーを燃焼させなければ、給湯設定温度Ｔｅの温水を供給することができないので、給湯器３０のバーナーを燃焼させることによって、確実に給湯設定温度Ｔｅの温水を生成することができるように、入湯温度Ｔｓが６０℃以上、６０℃未満３５℃以上、３５℃未満に場合分けし、６０℃以上の場合は４５℃、６０℃未満３５℃以上の場合は３０℃、３５℃未満の場合は２５℃の温水がそれぞれ送出されるように、混合調節弁２１の開度を調整して上水を混合する固定温度制御を行うようになっている。
【００３２】
また、給湯設定温度制御を行う場合は、給湯器３０のバーナーを燃焼させる必要がないので、操作リモコン４０の運転スイッチをＯＮして給湯を開始した時点で、給湯接続ユニット２０のコントローラ２０ａが給湯器３０のコントローラ３０ａに燃焼停止指令を出力し、固定温度制御を行う場合は、給湯器３０のバーナーを燃焼させなければならないので、操作リモコン４０の運転スイッチをＯＮして給湯を開始した時点で、給湯接続ユニット２０のコントローラ２０ａが給湯器３０のコントローラ３０ａに燃焼開始指令を出力するようになっている。
【００３３】
また、給湯接続ユニット２０のコントローラ２０ａには、タイマが搭載されており、制御基板には、タイマの設定時間を０．５秒と２秒とに切り替えるＤＩＰスイッチが設けられている。具体的には、ＤＩＰスイッチをＯＮにすると、タイマの設定時間が０．５秒にセットされ、ＤＩＰスイッチをＯＦＦにすると、タイマの設定時間が２秒にセットされるようになっている。
【００３４】
ＤＩＰスイッチをＯＮにするか、ＯＦＦにするかの選択は、設置された給湯接続ユニット２０と給湯器３０とを接続する温水配管２３の配管長に基づいて決定され、施工時点において、温水配管２３の配管長が短い場合（例えば、１ｍ前後）はＤＩＰスイッチをＯＮにし、温水配管２３の配管長が長い場合（例えば、４〜５ｍ程度）はＤＩＰスイッチをＯＦＦにする。
【００３５】
また、給湯接続ユニット２０のコントローラ２０ａは、固定温度制御によって給湯設定温度Ｔｅの温水を供給している状態において、給湯設定温度Ｔｅ以上の温水が蓄熱槽１４から送出され始めた場合や、給湯設定温度制御によって給湯設定温度Ｔｅの温水を供給している状態において、給湯設定温度Ｔｅより低い温水が蓄熱槽１４から送出され始めた場合には、その時点で制御を切り替えることになるが、制御の切換時点における燃焼停止指令や燃焼開始指令の出力タイミングについては、図２に示すフローチャートを参照しながら、以下に説明する。
【００３６】
まず、操作リモコン４０の運転スイッチがＯＮされると（ステップＳ１）、水流信号がＯＮされるまで、即ち、給湯が開始されるまで待機する（ステップＳ２）。ここで、水流信号がＯＮされると、その時点における入湯温度Ｔｓが給湯設定温度Ｔｅ以上であるか否かを判断し（ステップＳ３）、入湯温度Ｔｓが給湯設定温度Ｔｅより低い場合は、給湯接続ユニット２０のコントローラ２０ａが、給湯器３０のコントローラ３０ａに対して即座にバーナーの燃焼開始指令を出力し（ステップＳ４）、上述した固定温度制御を開始する（ステップＳ５）。従って、給湯を開始した時点における入湯温度Ｔｓが給湯設定温度Ｔｅより低い場合は、給湯器３０のバーナーが即座に燃焼を開始することになる。
【００３７】
続いて、入湯温度Ｔｓが給湯設定温度Ｔｅ以上に上昇したか否かを判断し（ステップＳ６）、入湯温度Ｔｓが給湯設定温度Ｔｅを下回っている状態が継続している間は固定温度制御を継続し、入湯温度Ｔｓが給湯設定温度Ｔｅ以上に上昇した場合は、固定温度制御から上述した給湯設定温度制御に切り替える（ステップＳ７）。
【００３８】
このようにして、固定温度制御から給湯設定温度制御に切り替わると、続いて、出湯温度Ｔｏが給湯設定温度Ｔｅまで上昇したか否かを判断し（ステップＳ８）、出湯温度Ｔｏが給湯設定温度Ｔｅを下回っている間はそのままの状態で待機する。ここで、出湯温度Ｔｏが給湯設定温度Ｔｅまで上昇すると、上述したＤＩＰスイッチがＯＮされているか否かを判断し（ステップＳ９）、ＤＩＰスイッチがＯＮされている場合は、設定時間を０．５秒にセットしてタイマをスタートさせ（ステップＳ１０）、０．５秒が経過した時点で（ステップＳ１１）、給湯器３０のコントローラ３０ａにバーナーの燃焼停止指令を出力する（ステップＳ１４）。
【００３９】
一方、ステップＳ９において、ＤＩＰスイッチがＯＮされていない場合は、設定時間を２秒にセットしてタイマをスタートさせ（ステップＳ１２）、２秒が経過した時点で（ステップＳ１３）、給湯器３０のコントローラ３０ａにバーナーの燃焼停止指令を出力する（ステップＳ１４）。
【００４０】
従って、設置された給湯接続ユニット２０と給湯器３０とを接続する温水配管２３の配管長が短い場合は、固定温度制御から給湯設定温度制御に切り替えた時点から０．５秒が経過した時点で給湯器３０のバーナーの燃焼が停止され、温水配管２３の配管長が長い場合は、固定温度制御から給湯設定温度制御に切り替えた時点から２秒が経過した時点で給湯器３０のバーナーの燃焼が停止されることになる。
【００４１】
このように、固定温度制御から給湯設定温度制御に切り替えた時点で即座に給湯器３０のバーナーの燃焼を停止させることなく、温水配管２３の配管長に応じてバーナーの燃焼停止タイミングを遅らせることで、固定温度制御から給湯設定温度制御に切り替えた時点における温水配管２３内の給湯設定温度Ｔｅより低い温水が給湯器３０で加熱されるので、制御の切替時点においても給湯設定温度Ｔｅの温水が継続して供給されることになる。
【００４２】
一方、ステップＳ３において、入湯温度Ｔｓが給湯設定温度Ｔｅ以上の場合は、給湯接続ユニット２０のコントローラ２０ａが、給湯器３０のコントローラ３０ａに対して即座にバーナーの燃焼停止指令を出力し（ステップＳ１５）、上述した給湯設定温度制御を開始する（ステップＳ１６）。従って、給湯を開始した時点における入湯温度Ｔｓが給湯設定温度Ｔｅ以上の場合は、給湯器３０のバーナーが燃焼することなく、給湯が開始されることになる。
【００４３】
続いて、入湯温度Ｔｓが給湯設定温度Ｔｅ以上に維持されているか否かを判断し（ステップＳ１７）、入湯温度Ｔｓが給湯設定温度Ｔｅ以上に維持されている間は給湯設定温度制御を継続し、入湯温度Ｔｓが給湯設定温度Ｔｅを下回った場合は、給湯設定温度制御から固定温度制御に切り替える（ステップＳ１８）。
【００４４】
このようにして、給湯設定温度制御から固定温度制御に切り替わると、続いて、出湯温度Ｔｏが給湯設定温度Ｔｅを下回ったか否かを判断し（ステップＳ１９）、出湯温度Ｔｏが給湯設定温度Ｔｅに維持されている間はそのままの状態で待機する。ここで、出湯温度Ｔｏが給湯設定温度Ｔｅを下回ると、上述したＤＩＰスイッチがＯＮされているか否かを判断し（ステップＳ２０）、ＤＩＰスイッチがＯＮされている場合は、設定時間を０．５秒にセットしてタイマをスタートさせ（ステップＳ２１）、０．５秒が経過した時点で（ステップＳ２２）、給湯接続ユニット２０のコントローラ２０ａが、給湯器３０のコントローラ３０ａにバーナーの燃焼開始指令を出力する（ステップＳ２５）。
【００４５】
一方、ステップＳ２０において、ＤＩＰスイッチがＯＮされていない場合は、設定時間を２秒にセットしてタイマをスタートさせ（ステップＳ２３）、２秒が経過した時点で（ステップＳ２４）、給湯接続ユニット２０のコントローラ２０ａが、給湯器３０のコントローラ３０ａにバーナーの燃焼開始指令を出力する（ステップＳ２５）。
【００４６】
従って、設置された給湯接続ユニット２０と給湯器３０とを接続する温水配管２３の配管長が短い場合は、給湯設定温度制御から固定温度制御に切り替えた時点から０．５秒が経過した時点で給湯器３０のバーナーの燃焼が開始され、温水配管２３の配管長が長い場合は、給湯設定温度制御から固定温度制御に切り替えた時点から２秒が経過した時点で給湯器３０のバーナーの燃焼が開始されることになる。
【００４７】
このように、給湯設定温度制御から固定温度制御に切り替えた時点で即座に給湯器３０のバーナーの燃焼を開始させることなく、温水配管２３の配管長に応じてバーナーの燃焼開始タイミングを遅らせることで、給湯設定温度制御から固定温度制御に切り替えた時点における温水配管２３内の給湯設定温度Ｔｅの温水が給湯器３０でさらに加熱されることがないので、制御の切替時点においても給湯設定温度Ｔｅの温水が継続して供給されることになる。
【００４８】
なお、ステップＳ１４において、給湯器３０のコントローラ３０ａにバーナーの燃焼停止指令を出力した後はステップＳ１７に移行し、ステップＳ２５において、給湯器３０のコントローラ３０ａにバーナーの燃焼開始指令を出力した後はステップＳ６に移行することで、その後における入湯温度Ｔｓの温度変化に対して同様の動作を繰返し行うようになっている。
【００４９】
また、上述した実施形態では、入湯温度Ｔｓの温度変化を検出した後、出湯温度Ｔｏの温度変化を検出した時点からタイマをスタートさせるようにしているが、これに限定されるものではなく、入湯温度Ｔｓの温度変化を検出した後、混合調節弁２１が動作を開始した時点からタイマをスタートさせることも可能であり、入湯温度Ｔｓの温度変化を検出した時点で即座にタイマをスタートさせることも可能である。
【００５０】
また、上述した実施形態では、タイマの設定時間を、０．５秒または２秒のいずれかにセットするようにしているが、これに限定されるものではなく、複数のＤＩＰスイッチを設けることによって、温水配管２３の配管長に応じてさらにきめ細かく設定時間をセットさせることも可能である。
【００５１】
また、上述した実施形態では、給湯接続ユニット２０のコントローラ２０ａにＤＩＰスイッチを設けるようにしているが、これに限定されるものではなく、給湯器３０のコントローラ３０ａにＤＩＰスイッチを設けることも可能である。
【００５２】
また、タイマの設定時間の切替は、上述したようなＤＩＰスイッチに限定されるものではなく、ユーザが自ら設定することができるように、給湯器３０の操作リモコン４０によって設定するようにしてもよい。
【００５３】
図３〜図５は他の実施形態を示している。この給湯システム２も、上述した給湯システム１と基本的には同一構成を有しているので、同一構成要素には同一符号を付してその説明を省略し、異なる部分について詳細に説明する。
【００５４】
上述した給湯システム１では、給湯接続ユニット２０と給湯器３０とを接続する温水配管２３の配管長に応じて概略的に決定した所定時間分だけバーナーの燃焼停止指令や燃焼開始指令の出力タイミングを遅らせるようにしているが、この給湯システム２では、施工された温水配管２３の配管容積を実際に計測し、制御の切替時点から、温水配管２３の配管容積に相当する温水量が給湯器３０に送出されるまでの時間分だけバーナーの燃焼停止指令や燃焼開始指令の出力タイミングを遅らせるようにした点で、給湯システム１とは異なっている。従って、この給湯システム２では、タイマの設定時間を切り替えるＤＩＰスイッチは設けられていない。
【００５５】
この給湯システム２では、図３に示すように、給湯器３０の温水入口側に、給湯接続ユニット２０から送出されてくる温水の温度（以下、給湯器入湯温度という。）Ｔｉを検出するための給湯器入湯温度センサ３２及びその流量Ｖを測定する流量センサ３３が設けられており、これらの給湯器入湯温度センサ３２及び流量センサ３３からの温度検出信号及び流量検出信号が給湯器３０のコントローラ３０ａに入力されるようになっている。
【００５６】
給湯器３０のコントローラ３０ａに入力された温度検出信号及び流量検出信号は、随時、給湯接続ユニット２０のコントローラ２０ａに送信され、このコントローラ２０ａが、上述した入湯温度Ｔｓ、出湯温度Ｔｏ、給湯器入湯温度Ｔｉ及び流量Ｖに基づいて温水配管２３の配管容積を求めてメモリに記憶し、その配管容積を考慮してバーナーの燃焼停止指令や燃焼開始指令の出力タイミングを遅らせるようになっている。以下、その詳細について、図４及び図５に示すフローチャートを参照しながら説明する。なお、この給湯システム２では、実際に給湯運転を行いながら温水配管２３の配管容積を求めるようになっており、その配管容積の計測動作は、実際に給湯システム２が給湯運転を開始した初期段階で行われ、その後は、求めた配管容積を使用した通常の給湯運転動作に移行するようになっている。
【００５７】
まず、給湯システムの初期運転段階で行われる温水配管２３の配管容積の計測動作について、図４に示すフローチャートを参照しながら説明する。操作リモコン４０の運転スイッチがＯＮされると（ステップＳ３１）、水流信号がＯＮされるまで、即ち、給湯が開始されるまで待機する（ステップＳ３２）。ここで、水流信号がＯＮされると、その時点における入湯温度Ｔｓが給湯設定温度Ｔｅ以上であるか否かを判断し（ステップＳ３３）、入湯温度Ｔｓが給湯設定温度Ｔｅより低い場合は、給湯接続ユニット２０のコントローラ２０ａが、給湯器３０のコントローラ３０ａに対して即座にバーナーの燃焼開始指令を出力し（ステップＳ３４）、上述した固定温度制御を開始する（ステップＳ３５）。
【００５８】
続いて、入湯温度Ｔｓが給湯設定温度Ｔｅ以上に上昇したか否かを判断し（ステップＳ３６）、入湯温度Ｔｓが給湯設定温度Ｔｅを下回っている状態が継続している間は固定温度制御を継続し、入湯温度Ｔｓが給湯設定温度Ｔｅ以上に上昇した場合は、固定温度制御から給湯設定温度制御に切り替え（ステップＳ３７）、直ちに、給湯器３０のコントローラ３０ａにバーナーの燃焼停止指令を出力する（ステップＳ３８）。
【００５９】
このようにして、固定温度制御から給湯設定温度制御に切り替わると、続いて、出湯温度Ｔｏが給湯設定温度Ｔｅまで上昇したか否かを判断し（ステップＳ３９）、出湯温度Ｔｏが給湯設定温度Ｔｅを下回っている間はそのままの状態で待機する。ここで、出湯温度Ｔｏが給湯設定温度Ｔｅまで上昇すると、給湯器３０のコントローラ３０ａから随時送信されてくる流量Ｖの積算を開始する（ステップＳ４０）。
【００６０】
続いて、給湯器３０のコントローラ３０ａから随時送信されてくる給湯器入湯温度Ｔｉが、給湯設定温度Ｔｅまで上昇したか否かを判断する（ステップＳ４１）。ここで、給湯器入湯温度Ｔｉが給湯設定温度Ｔｅを下回っている間は、流量の積算を継続するが、給湯器入湯温度Ｔｉが給湯設定温度Ｔｅまで上昇すると、その時点で流量の積算を停止し（ステップＳ４２）、その時点までの積算流量を温水配管２３の配管容積としてメモリに記憶する（ステップＳ４３）。
【００６１】
一方、ステップＳ３３において、入湯温度Ｔｓが給湯設定温度Ｔｅ以上の場合は、給湯接続ユニット２０のコントローラ２０ａが、給湯器３０のコントローラ３０ａに対して即座にバーナーの燃焼停止指令を出力し（ステップＳ４４）、上述した給湯設定温度制御を開始する（ステップＳ４５）。
【００６２】
続いて、入湯温度Ｔｓが給湯設定温度Ｔｅ以上に維持されているか否かを判断し（ステップＳ４６）、入湯温度Ｔｓが給湯設定温度Ｔｅ以上に維持されている間は給湯設定温度制御を継続し、入湯温度Ｔｓが給湯設定温度Ｔｅを下回った場合は、給湯設定温度制御から固定温度制御に切り替え（ステップＳ４７）、直ちに、給湯器３０のコントローラ３０ａにバーナーの燃焼開始指令を出力する（ステップＳ４８）。
【００６３】
このようにして、給湯設定温度制御から固定温度制御に切り替わると、続いて、出湯温度Ｔｏが給湯設定温度Ｔｅを下回ったか否かを判断し（ステップＳ４９）、出湯温度Ｔｏが給湯設定温度Ｔｅに維持されている間はそのままの状態で待機する。ここで、出湯温度Ｔｏが給湯設定温度Ｔｅを下回ると、給湯器３０のコントローラ３０ａから随時送信されてくる流量Ｖの積算を開始する（ステップＳ５０）。
【００６４】
続いて、給湯器３０のコントローラ３０ａから随時送信されてくる給湯器入湯温度Ｔｉが、給湯設定温度Ｔｅを下回ったか否かを判断する（ステップＳ５１）。ここで、給湯器入湯温度Ｔｉが給湯設定温度Ｔｅを維持している間は、流量の積算を継続するが、給湯器入湯温度Ｔｉが給湯設定温度Ｔｅを下回ると、その時点で流量の積算を停止し（ステップＳ５２）、その時点までの積算流量を温水配管２３の配管容積としてメモリに記憶する（ステップＳ５３）。
【００６５】
続いて、このようにして求めた温水配管２３の配管容積データを用いて制御を行う通常の給湯運転動作について、図５に示すフローチャートを参照しながら説明する。まず、操作リモコン４０の運転スイッチがＯＮされると（ステップＳ６１）、水流信号がＯＮされるまで、即ち、給湯が開始されるまで待機する（ステップＳ６２）。ここで、水流信号がＯＮされると、その時点における入湯温度Ｔｓが給湯設定温度Ｔｅ以上であるか否かを判断し（ステップＳ６３）、入湯温度Ｔｓが給湯設定温度Ｔｅより低い場合は、給湯接続ユニット２０のコントローラ２０ａが、給湯器３０のコントローラ３０ａに対して即座にバーナーの燃焼開始指令を出力し（ステップＳ６４）、上述した固定温度制御を開始する（ステップＳ６５）。従って、給湯を開始した時点における入湯温度Ｔｓが給湯設定温度Ｔｅより低い場合は、給湯器３０のバーナーが即座に燃焼を開始することになる。
【００６６】
続いて、入湯温度Ｔｓが給湯設定温度Ｔｅ以上に上昇したか否かを判断し（ステップＳ６６）、入湯温度Ｔｓが給湯設定温度Ｔｅを下回っている状態が継続している間は固定温度制御を継続し、入湯温度Ｔｓが給湯設定温度Ｔｅ以上に上昇した場合は、固定温度制御から給湯設定温度制御に切り替える（ステップＳ６７）。
【００６７】
このようにして、固定温度制御から給湯設定温度制御に切り替わると、続いて、出湯温度Ｔｏが給湯設定温度Ｔｅまで上昇したか否かを判断し（ステップＳ６８）、出湯温度Ｔｏが給湯設定温度Ｔｅを下回っている間はそのままの状態で待機する。ここで、出湯温度Ｔｏが給湯設定温度Ｔｅまで上昇すると、給湯器３０のコントローラ３０ａから随時送信されてくる流量Ｖの積算を開始する（ステップＳ６９）。
【００６８】
続いて、積算流量が予めメモリに記憶されている温水配管２３の配管容積に相当する温水量まで到達したか否かを判断する（ステップＳ７０）。ここで、積算流量が温水配管２３の配管容積に相当する温水量まで到達していない場合は、そのままの状態を維持しながら流量の積算を継続するが、積算流量が温水配管２３の配管容積に相当する温水量まで到達すると、その時点で、給湯器３０のコントローラ３０ａにバーナーの燃焼停止指令を出力する（ステップＳ７１）。
【００６９】
一方、ステップＳ６３において、入湯温度Ｔｓが給湯設定温度Ｔｅ以上の場合は、給湯器３０のコントローラ３０ａに対して即座にバーナーの燃焼停止指令を出力し（ステップＳ７２）、給湯設定温度制御を開始する（ステップＳ７３）。従って、給湯を開始した時点における入湯温度Ｔｓが給湯設定温度Ｔｅ以上の場合は、給湯器３０のバーナーが燃焼することなく、給湯が開始されることになる。
【００７０】
続いて、入湯温度Ｔｓが給湯設定温度Ｔｅ以上に維持されているか否かを判断し（ステップＳ７４）、入湯温度Ｔｓが給湯設定温度Ｔｅ以上に維持されている間は給湯設定温度制御を継続し、入湯温度Ｔｓが給湯設定温度Ｔｅを下回った場合は、給湯設定温度制御から固定温度制御に切り替える（ステップＳ７５）。
【００７１】
このようにして、給湯設定温度制御から固定温度制御に切り替わると、続いて、出湯温度Ｔｏが給湯設定温度Ｔｅを下回ったか否かを判断し（ステップＳ７６）、出湯温度Ｔｏが給湯設定温度Ｔｅに維持されている間はそのままの状態で待機する。ここで、出湯温度Ｔｏが給湯設定温度Ｔｅを下回ると、給湯器３０のコントローラ３０ａから随時送信されてくる流量Ｖの積算を開始する（ステップＳ７７）。
【００７２】
続いて、積算流量が予めメモリに記憶されている温水配管２３の配管容積に相当する温水量まで到達したか否かを判断する（ステップＳ７８）。ここで、積算流量が温水配管２３の配管容積に相当する温水量まで到達していない場合は、そのままの状態を維持しながら流量の積算を継続するが、積算流量が温水配管２３の配管容積に相当する温水量まで到達すると、その時点で、給湯器３０のコントローラ３０ａにバーナーの燃焼開始指令を出力する（ステップＳ７９）。
【００７３】
なお、ステップＳ７１において、給湯器３０のコントローラ３０ａにバーナーの燃焼停止指令を出力した後はステップＳ７４に移行し、ステップＳ７９において、給湯器３０のコントローラ３０ａにバーナーの燃焼開始指令を出力した後はステップＳ６６に移行することで、その後における入湯温度Ｔｓの温度変化に対して同様の動作を繰返し行うようになっている。
【００７４】
以上のように、この給湯システム２では、制御を切り替えた後、予め計測しておいた温水配管２３の配管容積に相当する温水が給湯器３０に送出され終わった時点で、バーナーの燃焼停止指令や燃焼開始指令を給湯器３０のコントローラ３０ａに出力するようにしたので、温水配管２３の配管長に応じて概略的に決定された所定時間分だけ指令タイミングを遅らせるようにした給湯システム１に比べて、制御の切換時点において供給される温水を、より精度よく給湯設定温度に保持することができる。しかも、この給湯システム２では、上述したように、実際に給湯運転を行いながら配管容積を求めるようにしたので、配管容積のみを別途計測する必要がないという利点がある。
【００７５】
なお、上述した実施形態では、実際に給湯運転を行いながら配管容積を求めるようにしているが、これに限定されるものではなく、種々の方法を用いて配管容積を別途計測し、これを、給湯接続ユニット２０のコントローラ２０ａに入力するようにしてもよい。
【００７６】
また、上述した実施形態では、流量の積算処理を給湯接続ユニット２０のコントローラ２０ａが行っているが、これに限定されるものではなく、給湯器３０のコントローラ３０ａに流量の積算処理を行わせることも可能である。
【００７７】
また、上述した実施形態では、入湯温度Ｔｓの温度変化を検出した後、出湯温度Ｔｏの温度変化を検出した時点から流量の積算を開始するようにしているが、これに限定されるものではなく、入湯温度Ｔｓの温度変化を検出した後、混合調節弁２１が動作を開始した時点から流量の積算を開始することも可能であり、入湯温度Ｔｓの温度変化を検出した時点で即座に流量の積算を開始することも可能である。
【００７８】
また、上述した実施形態では、初回の給湯運転時に配管容積を計測するようにしているが、これに限定されるものではなく、配管容積の計測動作を複数回繰返して行い、蓄積された配管容積データに基づいて、実際に使用する配管容積を確定するようにしてもよい。
【００７９】
また、上述した実施形態では、出湯温度Ｔｏの温度変化を検出した後、給湯器入湯温度Ｔｉの温度変化を検出するまでの間の流量を実際に積算するようにしているが、これに限定されるものではなく、例えば、出湯温度Ｔｏの温度変化を検出した後、給湯器入湯温度Ｔｉの温度変化を検出するまでの時間をタイマによって積算し、タイマの積算開始時、積算途中または積算終了時に測定した一または複数の流量データに基づいて、積算流量を予測して決定することも可能である。
【００８０】
また、上述した実施形態では、制御の切替時点から、予め計測した配管容積に相当する温水が給湯器３０に送出され終わった時点で、バーナーの燃焼停止指令や燃焼開始指令を出力するようにしているが、これに限定されるものではなく、例えば、配管容積に対応する遅延時間を予め設定しておき、計測した配管容積に対応する遅延時間分だけ指令タイミングを遅らせるようにしてもよい。
【００８１】
また、上述した実施形態では、入湯温度Ｔｓが給湯設定温度Ｔｅ以上か否かによって、給湯設定温度制御と固定温度制御との切り替えを行っているが、これに限定されるものではなく、入湯温度Ｔｓが給湯設定温度Ｔｅの前後に設定された基準温度（例えば、給湯設定温度Ｔｅ−５℃、給湯設定温度Ｔｅ＋２℃）以上か否かによって給湯設定温度制御と固定温度制御との切り替えを行うことも可能である。その場合は、入湯温度Ｔｓが基準温度を下回る温度状態から基準温度以上の温度状態に移行した時点から、所定時間経過した時点または温水配管２３の配管容積分の温水が送出された時点で給湯器３０のバーナーの燃焼を停止させたり、入湯温度Ｔｓが基準温度以上の温度状態から基準温度を下回る温度状態に移行した時点から、所定時間経過した時点または温水配管２３の配管容積分の温水が送出された時点で給湯器３０のバーナーの燃焼を開始させればよい。
【００８２】
このように、入湯温度Ｔｓが給湯設定温度Ｔｅの前後に設定された基準温度以上か否かによって給湯設定温度制御と固定温度制御との切り替えを行うと、給湯設定温度Ｔｅを下回る温水が供給される場合があるが、基準温度を給湯設定温度Ｔｅ付近に設定しておくことによって、極端に使い勝手が悪くなることはなく、特に、給湯設定温度Ｔｅより低い温度に基準温度を設定した場合は、蓄熱槽１４から給湯接続ユニット２０に送出される温水の温度または給湯接続ユニット２０から送出される温水の温度が、給湯設定温度Ｔｅまで上昇する前に給湯器３０のバーナーの燃焼が停止され、蓄熱槽１４から給湯接続ユニット２０に送出される温水の温度または給湯接続ユニット２０から送出される温水の温度が、給湯設定温度Ｔｅを下回った後に給湯器３０のバーナーの燃焼が開始されることになるので、給湯器３０のバーナーの燃焼時間が全体的に短くなり、蓄熱槽１４に貯留された温水を最大限に利用した給湯運転を行うことが可能となる。
【００８３】
また、上述した実施形態は、太陽熱利用温水器を補助熱源として使用した給湯システムであるが、給湯システムにおける補助熱源は、こういった太陽熱利用温水器に限定されるものではなく、例えば、コージェネレーションシステムにおけるガスエンジンやガスタービンの廃熱を補助熱源として使用した給湯システムのように、種々の補助熱源を使用した給湯システムについて、本発明を適用することができることはいうまでもない。
【図面の簡単な説明】
【図１】この発明にかかる給湯システムの一実施形態を示す概略構成図である。
【図２】同上の給湯システムにおける給湯運転動作を示すフローチャートである。
【図３】他の実施形態である給湯システムを示す概略構成図である。
【図４】同上の給湯システムにおける配管容積の計測動作を示すフローチャートである。
【図５】同上の給湯システムにおける給湯運転動作を示すフローチャートである。
【符号の説明】
１、２  給湯システム
１０  太陽熱利用温水器
１４  蓄熱槽
１６  温水供給管
２０  給湯接続ユニット
２０ａ  コントローラ
２１  混合調節弁
２３  温水配管
２６  入湯温度センサ
２７  出湯温度センサ
３０  給湯器
３０ａ  コントローラ
３１  熱交換器
３２  給湯器入湯温度センサ
３３  流量センサ
４０  操作リモコン
４０ａ  コントローラ
【図１】
0004613459.tif 000002
【図２】
0004613459.tif 000003
【図３】
0004613459.tif 000004
【図４】
0004613459.tif 000005
【図５】
0004613459.tif 000006